(57)【要約】【目的】フィルターが目詰まりしている状態では、ドレン水はドレンパン外に飛散したり、あるいはドレンパン外に溢水する状態に至る。かようにドレンパン外に出た水は空気調和機の筐体の接合部から外部に漏出し、設置場所の床面を濡らす等の事態を引き起こすに至る。本発明はドレン水の筐体外への漏出を防ぐことが可能な空気調和機を提供することを目的とするものである。【構成】請求項１記載の発明は熱交換器１、送風機５、ドレンパン３及びドレンタンク６を筐体１２内に収容する空気調和機において、ドレンパン３に設けた排水口３ａを大径部３ｂ及び小径部３ｃの二段構造とした。又請求項２記載の発明は熱交換器１の下部に空気の流れを制御する邪魔板４を設けた。【選択図】        図１
2008175445.tif 000002
【特許請求の範囲】
【請求項１】
熱交換器１、送風機５、ドレンパン３及びドレンタンク６を筐体１２内に収容する空気調和機であって、ドレンパン３に設けた排水口３ａを大径部３ｂ及び小径部３ｃの二段構造とした空気調和機。
【請求項２】
熱交換器１の下部に空気の流れを制御する邪魔板４を設けた請求項１記載の空気調和機。
【発明の詳細な説明】
【技術分野】
【０００１】
本発明は空気調和機に関し、より詳しくはドレン水の処理構造に特徴を有する空気調和機に関する。
【背景技術】
【０００２】
一般に冷風機や除湿機とよばれる空気調和機が備える冷凍サイクルは、圧縮機・コンデンサ及びエバポレータより成るものである。具体的には圧縮機で冷媒を圧縮し、圧縮された高温のガス状冷媒をコンデンサに送り、コンデンサで液化した冷媒を減圧器を介してエバポレータに送り、該エバポレータで気化した冷媒が圧縮機に戻されるというものである。
【０００３】
熱交換の工程を更に具体的に説明すると以下の如くである。
【０００４】
コンデンサとエバポレータは送風機により空気流にさらされている。圧縮機で加圧されて高温高圧になった冷媒はコンデンサを通過する空気流と熱交換して液化する。この液化した高圧の冷媒は減圧器により圧力を下げられた状態でエバポレータに送られる。該冷媒はエバポレータを通過する空気流を冷却させることでエバポレータ内部で気化し、この気化した冷媒は再び圧縮機で加圧されてコンデンサに送られる。
【０００５】
上述の冷凍サイクルにおいて低温になったエバポレータを通過して冷却される空気に含まれる水分は、エバポレータの表面に結露してドレン水となりエバポレータの下方に設けられたドレンパンに落下し、筐体下部に設置したドレンタンクに収納されていく。かかるドレン水の排水構造に関する特許文献として特開平５‐２３１６７４号公報や特開平１１‐１４８６７０号公報等がある。
【特許文献１】特開平５‐２３１６７４号公報
【特許文献２】特開平１１‐１４８６７０号公報
【発明の開示】
【発明が解決しようとする課題】
【０００６】
空気調和機内の空気の流れは図１における矢印の如きである。すなわち筐体１２の前面に設けられたフィルタ２を介して外部から空気を吸い込み、エバポレータ等より成る熱交換器１で熱交換を行い、吹出し口９より冷風を吐出するものであり、以上の空気の流れはファンより成る送風機５の回転により惹起されるものである。そして係る通風路を規定するために区画１０内は気密に保持してある。
【０００７】
上述のフィルター２は空気調和機の設置場所等の環境等により、多量の埃が付着し目詰まりすることがある。かように目詰まりした状態においてもファン５による送風力は減少しないのに対し、フィルター２からの吸入風量が減少するため区画１０内の圧力が低下することになる。他方で熱交換器１に付着したドレン水１１は熱交換器１の下部に設けられたドレンパン３へ集められ、筐体１２の下部に設置されたドレンタンク６内へ排水口８を通じて排水される構造となっている（図３参照）。
【０００８】
ところがフィルター２が目詰まりしている状態では、上述のように区画１０内が負圧となっていることから排水口８からも外気を吸入することとなる（図３における上向きの矢印が吸入空気を示す）。この排水口８はフィルター２に比べその面積が小さいため吸入する外気の流速は比較的大きいものとなる。かように排水口８から大きい流速で外気が吸い込まれると、ドレンパン３内に溜まった水は排水できず排水口８近辺では図３に示すように渦巻き・ドーム状を呈するに至る。
【０００９】
かようにドレンパン３内の水が排水されない状態はファン５が回転し続ける間中、つまりは空気調和機の運転中続きドレンパン３内のドレン水１１は増え続ける。更には熱交換器１の垂下部の空気の流れは流速が大きく、且つ乱流状態であるため（図３における熱交換器１下部の矢印が乱流状態の空気の流れを示す）ドレンパン３に溜まった水の表面を著しく波立てることになる。
【００１０】
これらの作用が重なりドレン水１１はドレンパン３外に飛散したり、あるいはドレンパン３外に溢水する状態に至る。かようにドレンパン３外に出た水は筐体１２の接合部から外部に漏出し、設置場所の床面を濡らす等の事態を引き起こすに至る。
【００１１】
本発明は上述の如きドレン水の筐体外への漏出を防ぐことが可能な空気調和機を提供することを目的とするものである。
【課題を解決するための手段】
【００１２】
本発明者らは上述の課題を解決するため鋭意検討したところ、熱交換器・送風機・ドレンパン及びドレンタンクを筐体内に収容する空気調和機において、ドレンパンに設けた排水口を大径部及び小径部の二段構造とすることで課題を解決することが可能との知見を得た。更には熱交換器の下部に邪魔板を設けることで空気の乱流を防ぐことが可能との知見を得た。
【発明の効果】
【００１３】
以下上述の如く構成される本発明が如何にして課題を解決するかを図面を参照しながら述べる。
【００１４】
本発明においては図２に示すようにドレンパン３に設けた排水口３ａを、大径部３ｂと小径部３ｃとの二段構造となしてある。前述のように区画１０が負圧の状態あるときは、排出口３ａから外気が吸入される（図２において上向きの矢印が吸入空気を示す）。かような状態ではドレンパン３から排水口３ａに流入したドレン水は即排水されずまず大径部３ｂに溜まることになる。この大径部３ｂに溜まった水の量が一定量以上になると（図２における下向きの矢印が水の重力を示す）、吸入空気の吸入力との均衡が崩れ大径部３ｂに溜まった水は小径部３ｃの開放端口から排出されるものである。かようにドレン水がいったん流れ出すと、ドレンパン３に溜まった水は全てドレンタンク６に排出される。すべて排出後再びドレン水はドレンパン３内に溜まり始め、同様にして一定量になると排水されるという工程を繰り返すものである。
【００１５】
かようにして本発明によればドレンパン３は満水になることはなく、つまりは空気調和機本体から漏水するという不具合も解消されるものである。
【００１６】
又請求項２記載の空気調和機においては熱交換器２の下部に邪魔板４を設けてある。この邪魔板４により図２に示すように空気の流れが制御され、つまりはドレンパン３に溜まったドレン水１１の表面に接する空気の乱流が少なくなるものである（図中矢印が空気の流れを示している）。かように請求項２記載の発明によればドレンパン３に溜まった水の表面が波立つことが少なくなり、漏水を可及的に防ぐことが可能となるものである。
【発明を実施するための最良の形態】
【００１７】
以下好ましい発明の一実施形態につき図面を参照しながら述べる。
【００１８】
図１は本発明に係る空気調和機の概略構成図である。１２は空気調和機の筐体であり、内部に圧縮機７、エバポレータ等よりなる熱交換器１等の冷凍サイクルを備え、又ドレン水を溜めるドレンパン３を熱交換器１の下部に設置してある。ドレンパン３に設けた排水口３ａの下部にはドレンタンク６が設置してあり、ドレン水はドレンタンク６内に落下収納されていくものである。
【００１９】
筐体１２の側面開口部にはフィルター２が嵌め込まれてありファンより成る送風機５の回転により外気を吸入する構造となっている。吸入された空気は熱交換器１を通過する過程で冷却され吹き出し口９より冷気が吐出されるものである（図中矢印が空気の流れを示している）。
【００２０】
以上は一般的な空気調和機と同様の構造であり、以下に本発明に特徴的な構造を述べる。
【００２１】
図２は本発明の要部説明図である。ドレンパン３に設けられた排水口３ａは大径部３ｂおよび小径部３ｃより成るものである。ここに大径部３ｂ、小径部３ｃは共に略円筒形の部材であり、両者の違いは大径部３ｂの径が小径部３ｃの径より大きいことである。尚、大径部３ｂ、小径部３ｃの形状は必ずしも略円筒形に限定されるものではなく、空洞な略円柱形状等であってもよい。
【００２２】
又請求項２記載の発明においては熱交換器１の下部に邪魔板４が設けられている。この邪魔板４はドレンパン３の開放上面を概ね覆う程度の大きさを有する。ドレン水１１は邪魔板４上を伝い、端部からドレンパン３に落下していくものである。尚、邪魔板４の一方端部はＬ字型に折り曲げてある。ドレン水１１がドレンパン３外に落下し漏れ出すことを防ぐためである。
【図面の簡単な説明】
【００２３】
【図１】本発明に係る空気調和機の概略構成図。
【図２】本発明の要部説明図。
【図３】従来例の要部説明図。
【符号の説明】
【００２４】
１・・熱交換器      ３・・ドレンパン
３ａ・・排水口    ３ｂ・・大径部      ３ｃ・・小径部
４・・邪魔板      ５・・送風機
６・・ドレンタンク      １２・・筐体
【図１】
2008175445.tif 000003
【図２】
2008175445.tif 000004
【図３】
2008175445.tif 000005